(57)【要約】【課題】映像データに含まれる各領域の高解像度処理の種類を柔軟に組み合わせて、所望の映像を表示すること。【解決手段】本発明にかかる映像データ処理システムは、複数の領域を含む低解像度の映像データを入力し、複数の領域の一部の領域に対して、第１の高解像度処理を行う第１の高解像度処理手段と、複数の領域のそれぞれに対して第１の高解像度処理が処理済み又は未処理のいずれかを示す処理結果情報を設定する設定手段と、複数の領域と、処理結果情報とを含めて映像データを映像表示装置へ送信する送信手段と、を備える映像再生装置と、映像再生装置から受信した映像データに含まれる処理結果情報に未処理と設定された領域に対して、第２の高解像度処理を行う第２の高解像度処理手段と、処理結果情報に処理済みと設定された領域と、第２の高解像度処理が行われた領域とを含めた映像を表示する表示手段と、を備える映像再生装置とを備える。【選択図】図１
2011254133.tif 000002
【特許請求の範囲】
【請求項１】
複数の領域を含む低解像度の映像データを入力する映像再生装置と、
高解像度の映像を表示する映像表示装置と、
を備える映像データ処理システムであって、
前記映像再生装置は、
前記複数の領域の一部の領域に対して、第１の高解像度処理を行う第１の高解像度処理手段と、
前記複数の領域のそれぞれに対して前記第１の高解像度処理が処理済み又は未処理のいずれかを示す処理結果情報を設定する設定手段と、
前記複数の領域と、前記処理結果情報とを含めて前記映像データを前記映像表示装置へ送信する送信手段と、を備え、
前記映像表示装置は、
前記映像再生装置から受信した映像データに含まれる処理結果情報に未処理と設定された領域に対して、第２の高解像度処理を行う第２の高解像度処理手段と、
前記処理結果情報に処理済みと設定された領域と、前記第２の高解像度処理が行われた領域とを含めた映像を表示する表示手段と、を備える
ことを特徴とする映像データ処理システム。
【請求項２】
前記映像再生装置は、
前記複数の領域のそれぞれについて、各領域に含まれる画像の特徴に応じた映像タイプに基づいて、前記第１の高解像度処理を行うか否かを判定する判定手段をさらに備え、
前記第１の高解像度処理手段は、前記複数の領域の内、前記判定手段により前記第１の高解像度処理を行うと判定された領域に対して、前記第１の高解像度処理を行うことを特徴とする請求項１に記載の映像データ処理システム。
【請求項３】
前記映像再生装置は、
前記映像タイプごとに前記第１の高解像度処理を行うか否かを示す処理要否情報を格納する記憶部をさらに備え、
前記判定手段は、前記複数の領域のそれぞれについて、各領域における前記映像タイプと、前記記憶部に格納された処理要否情報とに基づき、前記第１の高解像度処理を行うか否かを判定することを特徴とする請求項２に記載の映像データ処理システム。
【請求項４】
前記映像再生装置は、外部から前記処理要否情報を受け付け、前記記憶部に登録する登録手段をさらに備えることを特徴とする請求項３に記載の映像データ処理システム。
【請求項５】
前記設定手段は、前記複数の領域の一部の領域に対する前記処理結果情報に未処理と設定し、
前記送信手段は、前記一部の領域と前記未処理と設定された処理結果情報とを含めて前記映像データを前記映像表示装置へ送信し、
前記第２の高解像度処理手段は、前記一部の領域に対して、前記第２の高解像度処理を行い、
前記表示手段は、前記第２の高解像度処理が行われた前記一部の領域を前記映像として表示し、
前記第１の高解像度処理手段は、前記一部の領域に対して、前記第１の高解像度処理を行い、
前記設定手段は、前記一部の領域に対する前記処理結果情報に処理済みと設定し、
前記送信手段は、前記一部の領域と前記処理済みと設定された処理結果情報とを含めて前記映像データを前記映像表示装置へ送信し、
前記表示手段は、前記第１の高解像度処理が行われた前記一部の領域を前記映像として表示し、
前記登録手段は、前記一部の領域について前記第１の高解像度処理又は前記第２の高解像度処理のいずれかを選択した情報を受け付け、前記一部の領域における前記映像タイプと対応付けて前記記憶部に登録することを特徴とする請求項４に記載の映像データ処理システム。
【請求項６】
前記映像再生装置は、
前記入力された映像データについて、画面単位に画像の特徴を解析し、解析された特徴に基づいて前記複数の領域に分割する領域分割手段をさらに備え、
前記送信手段は、前記分割された複数の領域の画面上の配置情報をさらに含めて、前記映像データを前記映像表示装置へ送信し、
前記表示手段は、前記配置情報に基づいて、前記分割された領域を合成して映像を表示することを特徴とする請求項１乃至５のいずれか１項に記載の映像データ処理システム。
【請求項７】
複数の領域を含む低解像度の映像データを入力する映像再生装置と、
高解像度の映像を表示する映像表示装置と、
を用いて映像データを処理する映像データ処理方法であって、
前記映像再生装置において、
前記複数の領域の一部の領域に対して、第１の高解像度処理を行い、
前記複数の領域のそれぞれに対して前記第１の高解像度処理が処理済み又は未処理のいずれかを示す処理結果情報を設定し、
前記複数の領域と、前記処理結果情報とを含めて前記映像データを前記映像表示装置へ送信し、
前記映像表示装置において、
前記映像再生装置から受信した映像データに含まれる処理結果情報に未処理と設定された領域に対して、第２の高解像度処理を行い、
前記処理結果情報に処理済みと設定された領域と、前記第２の高解像度処理が行われた領域とを含めた映像を表示する
ことを特徴とする映像データ処理方法。
【請求項８】
前記映像再生装置において、
前記複数の領域のそれぞれについて、各領域に含まれる画像の特徴に応じた映像タイプに基づいて、前記第１の高解像度処理を行うか否かを判定し、
前記複数の領域の内、前記判定手段により前記第１の高解像度処理を行うと判定された領域に対して、前記第１の高解像度処理を行う
ことを特徴とする請求項７に記載の映像データ処理方法。
【請求項９】
前記映像再生装置は、
前記映像タイプごとに前記第１の高解像度処理を行うか否かを示す処理要否情報を格納する記憶部をさらに備え、
前記映像再生装置において、
前記複数の領域のそれぞれについて、各領域における前記映像タイプと、前記記憶部に格納された処理要否情報とに基づき、前記第１の高解像度処理を行うか否かを判定することを特徴とする請求項８に記載の映像データ処理方法。
【請求項１０】
前記映像再生装置において、
外部から前記処理要否情報を受け付け、
当該受け付けた前記処理要否情報を前記記憶部に登録する
ことを特徴とする請求項９に記載の映像データ処理方法。
【請求項１１】
前記映像再生装置において、
前記複数の領域の一部の領域に対する前記処理結果情報に未処理と設定し、
前記一部の領域と前記未処理と設定された処理結果情報とを含めて前記映像データを前記映像表示装置へ送信し、
前記映像表示装置において、
前記一部の領域に対して、前記第２の高解像度処理を行い、
前記第２の高解像度処理が行われた前記一部の領域を前記映像として表示し、
前記映像再生装置において、
前記一部の領域に対して、前記第１の高解像度処理を行い、
前記一部の領域に対する前記処理結果情報に処理済みと設定し、
前記一部の領域と前記処理済みと設定された処理結果情報とを含めて前記映像データを前記映像表示装置へ送信し、
前記映像表示装置において、
前記第１の高解像度処理が行われた前記一部の領域を前記映像として表示し、
前記映像再生装置において、
前記一部の領域について前記第１の高解像度処理又は前記第２の高解像度処理のいずれかを選択した情報を受け付け、
前記一部の領域における前記映像タイプと対応付けて前記記憶部に登録する
ことを特徴とする請求項１０に記載の映像データ処理方法。
【請求項１２】
前記映像再生装置において、
前記入力された映像データについて、画面単位に画像の特徴を解析し、
当該解析された特徴に基づいて前記複数の領域に分割し、
前記分割された複数の領域の画面上の配置情報をさらに含めて、前記映像データを前記映像表示装置へ送信し、
前記映像表示装置において、
前記配置情報に基づいて、前記分割された領域を合成して映像を表示する
ことを特徴とする請求項７乃至１１のいずれか１項に記載の映像データ処理方法。
【発明の詳細な説明】
【技術分野】
【０００１】
本発明は、映像データ処理システム及び方法に関し、特に、映像再生装置と映像表示装置とを用いて、低解像度から高解像度へ変換された映像データを表示する映像データ処理システム及び方法に関する。
【背景技術】
【０００２】
近年、映像表示装置は、高解像度化が進み、高解像度の映像データを表示することができるようになった。但し、映像データが元々高解像度であるとは限らない。このような低解像度の映像データについては、映像表示装置における表示前までに、高解像度へ変換する高解像度処理が施される必要がある。例えば、映像再生装置において高解像度処理が施された場合、映像再生装置は、高解像度処理後の映像データを映像表示装置へ送信することで、映像表示装置は、高解像度の映像データを表示することとなる。または、映像表示装置自体が高解像度処理を行う機能を有する場合には、入力された低解像度の映像データに高解像度処理を施した上で、高解像度の映像データを表示することとなる。
【０００３】
特許文献１には、映像データを表示する際のレスポンスを速めるための表示制御に関する技術が開示されている。特許文献１にかかる技術では、高解像度処理の必要性の低いメニュー画面について、映像再生装置が映像表示装置側の高解像度処理を実行させないように制御する。これにより、高解像度処理に要する時間を減らし、映像表示の遅れを抑えることができる。
【０００４】
尚、特許文献２には、所望の特定シーンに対応する特徴的部分の対象画像内における配置の傾向を考慮し、かつ撮影枠の取り方の違い等によるそれらの位置や面積割合の変動をも考慮して、様々な特定シーンの画像を高い精度で選別する装置に関する技術が開示されている。
【先行技術文献】
【特許文献】
【０００５】
【特許文献１】特開２００９−０３３４１５号公報
【特許文献２】特開２００５−３１０１２３号公報
【発明の概要】
【発明が解決しようとする課題】
【０００６】
ここで、映像データを高解像度へ変換する高解像度処理には、様々な種類が存在する。そのため、同一の映像データであっても、高解像度処理の種類が異なる場合には、変換された映像データが異なる。そして、特許文献２で示したように、映像データに含まれる各シーンは、それぞれ特徴部分のサイズや配置等が異なる。また、高解像度処理が施された映像が表示された場合、視聴者であるユーザによって、好みが異なるという傾向がある。そのため、映像データに含まれる各シーンにおいて、ユーザごとに最適な高解像度処理の種類が異なる。さらに、一画面内であっても領域毎に最適な高解像度処理の種類が異なる場合もある。
【０００７】
また、映像再生装置と映像表示装置とは、独立して開発されることが一般的であるため、高解像度処理の種類が異なることが多い。そのため、異なる高解像度処理が実装された映像再生装置と映像表示装置とにより映像データを再生及び表示する場合に、視聴するユーザが表示される映像に応じて、映像再生装置と映像表示装置との高解像度処理のＯＮ／ＯＦＦをそれぞれ切り替えるように操作することにより、当該ユーザにとって最適な高解像度処理を見つけ出すことも考えられる。しかし、映像の視聴中にユーザがこのような操作をするのは、煩雑であり、ユーザの映像視聴の妨げとなる。
【０００８】
特許文献１によれば、映像再生装置が映像表示装置における高解像度処理を無効化するように制御することで、映像表示の遅れを軽減することができる。しかしながら、特許文献１では、映像表示装置における高解像度処理の有無を制御することしかできないため、一画面内に複数種類の高解像度処理を適用して映像データを変換することはできないという問題点がある。
【課題を解決するための手段】
【０００９】
本発明の第１の態様にかかる映像データ処理システムは、複数の領域を含む低解像度の映像データを入力する映像再生装置と、高解像度の映像を表示する映像表示装置と、を備える映像データ処理システムであって、前記映像再生装置は、前記複数の領域の一部の領域に対して、第１の高解像度処理を行う第１の高解像度処理手段と、前記複数の領域のそれぞれに対して前記第１の高解像度処理が処理済み又は未処理のいずれかを示す処理結果情報を設定する設定手段と、前記複数の領域と、前記処理結果情報とを含めて前記映像データを前記映像表示装置へ送信する送信手段と、を備え、前記映像表示装置は、前記映像再生装置から受信した映像データに含まれる処理結果情報に未処理と設定された領域に対して、第２の高解像度処理を行う第２の高解像度処理手段と、前記処理結果情報に処理済みと設定された領域と、前記第２の高解像度処理が行われた領域とを含めた映像を表示する表示手段と、を備える。
【００１０】
本発明の第２の態様にかかる映像データ処理方法は、複数の領域を含む低解像度の映像データを入力する映像再生装置と、高解像度の映像を表示する映像表示装置と、を用いて映像データを処理する映像データ処理方法であって、前記映像再生装置において、前記複数の領域の一部の領域に対して、第１の高解像度処理を行い、前記複数の領域のそれぞれに対して前記第１の高解像度処理が処理済み又は未処理のいずれかを示す処理結果情報を設定し、前記複数の領域と、前記処理結果情報とを含めて前記映像データを前記映像表示装置へ送信し、前記映像表示装置において、前記映像再生装置から受信した映像データに含まれる処理結果情報に未処理と設定された領域に対して、第２の高解像度処理を行い、前記処理結果情報に処理済みと設定された領域と、前記第２の高解像度処理が行われた領域とを含めた映像を表示する。
【００１１】
上述したように、本発明の第１又は第２の態様により、異なる高解像度処理手段を有する映像再生装置と映像表示装置とを用いて、映像データに含まれる各領域について異なる高解像度処理を行い、それらを含めて映像として表示することができる。そのため、ある領域については、映像再生装置における第１の高解像度処理を適用し、他の領域については、映像表示装置における第２の高解像度処理を適用することが可能となる。つまり、映像データの各領域について、複数種類の高解像度処理を連携させることにより、所望の映像を表示することが可能となる。
【発明の効果】
【００１２】
本発明により、映像データに含まれる各領域の高解像度処理の種類を柔軟に組み合わせて、所望の映像を表示するための映像データ処理システム及び方法を提供することができる。
【図面の簡単な説明】
【００１３】
【図１】本発明の実施の形態１にかかる映像データ処理システムの構成を示すブロック図である。
【図２】本発明の実施の形態１にかかる高解像度処理の制御情報の例を示す図である。
【図３】本発明の実施の形態１にかかる映像再生装置から映像表示装置に送信される映像データの形式の例を示す図である。
【図４】本発明の実施の形態１にかかる映像再生装置の構成を示すブロック図である。
【図５】本発明の実施の形態１にかかる高解像度処理の制御情報の登録処理の流れを示すフローチャートである。
【図６】本発明の実施の形態１にかかる高解像度処理有無による映像の提示及びユーザからの選択結果の受け付け処理の流れを示すフローチャートである。
【図７】本発明の実施の形態１にかかる映像表示装置における映像データの表示処理の流れを示すフローチャートである。
【図８】本発明の実施の形態１にかかる映像再生装置における映像データの送信処理の流れを示すフローチャートである。
【図９】本発明の実施の形態１にかかる映像再生装置における映像データの個別処理の流れを示すフローチャートである。
【図１０】本発明の実施の形態２にかかる映像再生装置における映像データの送信処理の流れを示すフローチャートである。
【図１１】本発明の実施の形態２にかかる映像再生装置における映像データの個別処理の流れを示すフローチャートである。
【図１２】本発明の実施の形態２にかかる映像表示装置における映像データの表示処理の流れを示すフローチャートである。
【図１３】本発明の実施の形態２にかかる１画面が２領域に分割された場合の概念を説明する図である。
【発明を実施するための形態】
【００１４】
以下では、本発明を適用した具体的な実施の形態について、図面を参照しながら詳細に説明する。各図面において、同一要素には同一の符号が付されており、説明の明確化のため、必要に応じて重複説明は省略する。
【００１５】
＜発明の実施の形態１＞
図１は、本発明の実施の形態１にかかるデータ処理システム１０の構成を示すブロック図である。データ処理システム１０は、映像再生装置１００と、映像表示装置２００と、映像再生装置１００及び映像表示装置２００を接続する映像データ送信ケーブル３００とを備える。映像再生装置１００は、複数の領域を含む低解像度の映像データを入力し、当該映像データの再生処理を行う。特に、映像再生装置１００は、任意の映像データが記録された映像メディア４００を挿入し、映像メディア４００から読み出した映像データの任意の領域に対して高解像度処理を行うことができる。また、映像再生装置１００は、映像データ送信ケーブル３００を介して、映像データを映像表示装置２００へ送信する。また、映像表示装置２００は、映像データを高解像度の映像として表示することができる。特に、映像表示装置２００は、映像データ送信ケーブル３００を介して映像再生装置１００から映像データを受信することができる。また、映像表示装置２００は、映像データの任意の領域に対して高解像度処理を行うことができる。尚、映像再生装置１００と映像表示装置２００とが高解像度処理は、異なる種類であるものとする。
【００１６】
映像再生装置１００は、映像データ読み取り部１０１と、映像データ復号化処理部１０２と、ＣＰＵ（Central Processing Unit）１０３と、高解像度処理部１０４と、映像データ送信部１０５と、ユーザ操作受信部１０６と、高解像度処理制御ＤＢ（DataBase）１０７とを備える。映像データ読み取り部１０１は、映像メディア４００から映像データを読み込み、映像データ復号化処理部１０２へ出力する装置である。映像データ復号化処理部１０２は、映像データ読み取り部１０１から入力された映像データを復号化し、ＣＰＵ１０３へ出力する装置である。すなわち、映像データ復号化処理部１０２は、映像メディア４００から読み込まれた映像データを元の映像データに復元する。
【００１７】
高解像度処理制御ＤＢ１０７は、映像タイプごとに高解像度処理部１０４による高解像度処理を行うか否かを示す処理要否情報である制御情報１０８を格納する記憶装置である。尚、高解像度処理制御ＤＢ１０７は、不揮発性記憶装置であることが望ましい。ここで、映像タイプとは、画像の特徴に基づき分類される特徴のパターンである。
【００１８】
図２は、本発明の実施の形態１にかかる高解像度処理制御ＤＢ１０７に格納される制御情報１０８の例を示す図である。高解像度処理制御ＤＢ１０７は、映像タイプと映像再生装置１００における高解像度処理制御の対応とを対応付けて格納する。図２では、映像タイプの例として、字幕、夜景、・・・、アニメ等がある。例えば、映像データのある領域の映像タイプが字幕と判定された場合には、当該領域に対して高解像度処理部１０４による高解像度処理を行わないことを示す。また、映像タイプが夜景又はアニメと判定された場合には、高解像度処理部１０４による高解像度処理を行うことを示す。
【００１９】
ＣＰＵ１０３は、映像再生装置１００における各種処理を制御する中央処理装置である。ＣＰＵ１０３は、映像データ復号化処理部１０２から入力された復号化後の映像データに含まれる複数の領域について、高解像度処理を行うか否かを判定する。ＣＰＵ１０３は、当該映像データの内、高解像度処理を行うと判定した領域を高解像度処理部１０４へ出力する。また、ＣＰＵ１０３は、当該映像データの内、高解像度処理を行わないと判定した領域を直接、映像データ送信部１０５へ出力する。また、ＣＰＵ１０３は、複数の領域のそれぞれに対して高解像度処理部１０４による高解像度処理が処理済み又は未処理のいずれかを示す処理結果情報を設定する。例えば、ＣＰＵ１０３は、映像データのヘッダ領域に当該処理結果情報を設定する。
【００２０】
また、ＣＰＵ１０３は、複数の領域のそれぞれについて、各領域に含まれる画像の特徴に応じた映像タイプに基づいて、高解像度処理部１０４による高解像度処理を行うか否かを判定する。具体的には、ＣＰＵ１０３は、画像の特徴を分析し、分析された特徴が予め定められた複数の映像タイプのいずれに該当するかを判別する。そして、ＣＰＵ１０３は、複数の領域のそれぞれについて、各領域における映像タイプと、高解像度処理制御ＤＢ１０７に格納された制御情報１０８とに基づき、高解像度処理部１０４による高解像度処理を行うか否かを判定する。
【００２１】
高解像度処理部１０４は、ＣＰＵ１０３から入力された映像データに対して高解像度処理を行い、映像データ送信部１０５へ出力する装置である。すなわち、高解像度処理部１０４は、複数の領域の一部の領域に対して、任意の高解像度処理を行う。特に、高解像度処理部１０４は、複数の領域の内、ＣＰＵ１０３により高解像度処理を行うと判定された領域に対して、高解像度処理を行う。
【００２２】
映像データ送信部１０５は、ＣＰＵ１０３及び高解像度処理部１０４から入力された映像データの各領域と、前記処理結果情報とを含めた映像データを、映像データ送信ケーブル３００を介して映像表示装置２００へ送信する装置である。すなわち、映像データ送信部１０５は、高解像度処理部１０４により高解像度処理が行われた領域と、高解像度処理部１０４により高解像度処理が行われていない領域と、各領域における処理結果情報とを含めた映像データを送信する。尚、処理結果情報の設定処理は、映像データ送信部１０５が行っても構わないが、以下では、ＣＰＵ１０３が行うものとして説明する。
【００２３】
ユーザ操作受信部１０６は、映像再生装置１００を操作するユーザからの入力を受け付ける入力インタフェースである。特に、ユーザ操作受信部１０６は、外部から受け付けた処理要否情報をＣＰＵ１０３へ出力する。そして、ＣＰＵ１０３は、ユーザ操作受信部１０６から入力された処理要否情報を高解像度処理制御ＤＢ１０７に登録する。
【００２４】
映像表示装置２００は、映像表示パネル２０１と、映像表示処理部２０２と、高解像度処理部２０３と、ＣＰＵ２０４と、映像データ受信部２０５と、ユーザ操作受信部２０６とを備える。映像データ受信部２０５は、映像データ送信ケーブル３００を介して映像データ送信部１０５から映像データを受信する装置である。
【００２５】
ＣＰＵ２０４は、映像表示装置２００における各種処理を制御する中央処理装置である。ＣＰＵ２０４は、映像データ受信部２０５から入力された映像データに含まれる複数の領域について、高解像度処理を行うか否かを判定する。このとき、ＣＰＵ２０４は、受信した映像データのヘッダ領域に設定された処理結果情報に基づき、複数の領域のそれぞれについて、高解像度処理部２０３による高解像度処理を行うか否かを判定する。ＣＰＵ２０４は、当該映像データの内、高解像度処理を行うと判定した領域を高解像度処理部２０３へ出力する。また、ＣＰＵ２０４は、当該映像データの内、高解像度処理を行わないと判定した領域を直接、映像表示処理部２０２へ出力する。
【００２６】
高解像度処理部２０３は、ＣＰＵ２０４から入力された映像データに対して、高解像度処理部１０４とは異なる高解像度処理を行い、映像表示処理部２０２へ出力する装置である。すなわち、高解像度処理部２０３は、映像再生装置１００から受信した映像データに含まれる処理結果情報に未処理と設定された領域に対して、高解像度処理を行う。
【００２７】
映像表示処理部２０２は、ＣＰＵ２０４から入力された映像データと、高解像度処理部２０３から入力された映像データとを映像表示パネル２０１へ出力する装置である。すなわち、映像表示処理部２０２は、処理結果情報に処理済みと設定された領域と、高解像度処理部２０３により高解像度処理が行われた領域とを含めた映像データを映像表示パネル２０１へ出力する。言い換えると、ＣＰＵ２０４又は高解像度処理部２０３から映像表示処理部２０２に入力される映像データは、共に、高解像度である。
【００２８】
映像表示パネル２０１は、映像表示処理部２０２から入力された映像データを高解像度の映像として表示する表示装置である。
【００２９】
ユーザ操作受信部２０６は、映像表示装置２００を操作するユーザからの入力を受け付ける入力インタフェースである。例えば、ユーザ操作受信部２０６は、高解像度処理部２０３の機能をＯＮ／ＯＦＦする信号を受け付け、ＣＰＵ２０４に出力する。但し、本発明の実施の形態１にかかるデータ処理システム１０において、ユーザ操作受信部２０６は、必須ではない。
【００３０】
図３は、本発明の実施の形態１にかかる映像再生装置から映像表示装置に送信される映像データの形式の例を示す図である。映像データヘッダ６１０は、映像データに関するヘッダ情報である。映像データヘッダ６１０は、高解像度処理情報６１１、６１２、・・・、６１ｎを含む。また、映像データ本体６２０は、映像データ自体の画素、領域又はフレーム等を表すデータである。映像データ本体６２０は、映像データ６２１、６２２、・・・、６２ｎを含む。例えば、映像データ６２１について高解像度処理が行われている場合には、高解像度処理情報６１１には、処理結果情報として処理済みを示す情報が含まれる。また、映像データ６２２について、高解像度処理が行われていない場合には、高解像度処理情報６１２には、処理結果情報として未処理を示す情報が含まれる。
【００３１】
尚、図３では、高解像度処理情報６１１、６１２、・・・、６１ｎが映像データ６２１、６２２、・・・、６２ｎのそれぞれに対応しているが、これに限定されない。例えば、一つの高解像度処理情報により複数の映像データについての処理結果情報を定義しても構わない。また、映像データ本体６２０は、少なくとも一つの映像データを含めばよい。さらに、処理結果情報は、処理済み又は未処理のいずれかのみを示すものとしても構わない。例えば、処理結果情報が処理済みを示す場合、高解像度処理が行われている映像データ６２１に対応して、映像データに対応する高解像度処理情報が存在しない場合には、高解像度処理情報６１１が映像データヘッダ６１０に含まれているが、高解像度処理が行われていない映像データ６２２に対応する高解像度処理情報６１２が映像データヘッダ６１０に含まれていなくても構わない。また、映像データ６２１、６２２、・・・、６２ｎの全てが高解像度処理済み又は未処理であっても構わない。
【００３２】
図４は、本発明の実施の形態１にかかる映像再生装置１００の内、ＣＰＵ１０３の機能構成を示すブロック図である。尚、図１と同一の構成については、同一の符号を付し、詳細な説明を省略する。ＣＰＵ１０３は、高解像度処理切替部５０１と、エッジ検出処理部５０２と、明度解析処理部５０３と、テクスチャ解析処理部５０４と、画像特徴解析処理部５０５と、高解像度処理判定部５０６と、高解像度処理選択部５０７とを備える。
【００３３】
高解像度処理切替部５０１は、ユーザ操作受信部１０６及び高解像度処理判定部５０６から入力される信号に基づいて、映像データ復号化処理部１０２から入力される映像データについて、高解像度処理部１０４又は映像データ送信部１０５のいずれかへ出力する。
【００３４】
エッジ検出処理部５０２は、映像データ復号化処理部１０２から入力される映像データから映像のエッジ成分を検出し、その結果を画像特徴解析処理部５０５へ出力する。明度解析処理部５０３は、映像データ復号化処理部１０２から入力される映像データから映像の明度を解析し、その結果を画像特徴解析処理部５０５へ出力する。テクスチャ解析処理部５０４は、映像データ復号化処理部１０２から入力される映像データから映像のテクスチャを解析し、その結果を画像特徴解析処理部５０５へ出力する。
【００３５】
画像特徴解析処理部５０５は、エッジ検出処理部５０２、明度解析処理部５０３及びテクスチャ解析処理部５０４からの入力を受け付け、現在の処理対象の映像データが所定の映像タイプのいずれかを判別する。そして、画像特徴解析処理部５０５は、映像タイプの判別結果を高解像度処理判定部５０６及び高解像度処理選択部５０７へ出力する。
【００３６】
ここで、映像タイプが判別される例を挙げる。例えば、文字だけで構成される映像であれば、明度の分布は暗い部分と明るい部分に二極化して現れる。そして、エッジ検出では線のループで構成されるものが固まって分布することを検出することができる。これらにより、その画面が字幕のように文字が大部分を占める映像と識別できる。また、夜景の映像であれば、明度の分布が暗い部分で極端に多くなることを検出することで夜景と識別することができる。
【００３７】
尚、画像に含まれる各種の特徴を元に画像を分類する技術は、特許文献２などに開示されている。本発明の実施の形態１では、一例として、エッジ検出処理部５０２、明度解析処理部５０３及びテクスチャ解析処理部５０４によって画像を分析し、画像特徴解析処理部５０５により映像タイプを判別する構成を示している。
【００３８】
高解像度処理選択部５０７は、ユーザ操作受信部１０６から入力される高解像度処理結果のユーザ選択結果と、画像特徴解析処理部５０５から入力される映像タイプとを受け付け、ユーザ選択結果と映像タイプとを対応付けて高解像度処理制御ＤＢ１０７に格納する。
【００３９】
高解像度処理判定部５０６は、高解像度処理制御ＤＢ１０７に制御情報１０８が格納された後に、映像を再生する際に、画像特徴解析処理部５０５から入力される映像タイプを受け付け、受け付けた映像タイプに対応付けられた制御情報１０８を高解像度処理制御ＤＢ１０７から検索する。そして、高解像度処理判定部５０６は、現在の処理対象の映像データが映像再生装置１００側で高解像度処理をすべきか、映像表示装置２００側で高解像度処理をすべきかを判定する。そして、画像特徴解析処理部５０５は、判定結果を高解像度処理切替部５０１へ出力する。
【００４０】
図５は、本発明の実施の形態１にかかる高解像度処理の制御情報の登録処理の流れを示すフローチャートである。まず、高解像度処理制御情報を作成するために用意された映像メディア４００がユーザにより映像再生装置１００に挿入される（Ｓ１０１）。尚、映像メディア４００には、複数の映像タイプについての複数の領域を含む低解像度の映像データが収録されているものとする。
【００４１】
次に、映像再生装置１００は、映像メディア４００から映像データを読み込む（Ｓ１０２）。そして、映像再生装置１００は、未処理の映像データが存在するか否かを判定する（Ｓ１０３）。未処理の映像データが存在しないと判定した場合、つまり、映像メディア４００に収録された全ての映像データを処理し終えた場合、映像再生装置１００は、当該登録処理を終了する。
【００４２】
ステップＳ１０３において未処理の映像データが存在すると判定した場合、映像再生装置１００は、映像データの特徴を解析し、映像タイプを判別する（Ｓ１０４）。具体的には、エッジ検出処理部５０２、明度解析処理部５０３及びテクスチャ解析処理部５０４のそれぞれは、映像データ復号化処理部１０２から入力された映像データに含まれる画像の各種特徴を解析する。そして、画像特徴解析処理部５０５は、エッジ検出処理部５０２、明度解析処理部５０３及びテクスチャ解析処理部５０４から入力される各種解析結果に基づき、当該映像データにおける映像タイプを判別する。
【００４３】
続いて、映像再生装置１００は、高解像度処理有無による映像の提示及びユーザからの選択結果の受け付けを行う（Ｓ１０５）。ここで、図６に示すフローチャートを用いて、本発明の実施の形態１にかかる高解像度処理有無による映像の提示及びユーザからの選択結果の受け付け処理の流れを説明する。
【００４４】
まず、映像再生装置１００は、高解像度処理を未処理としてヘッダに設定する（Ｓ２０１）。つまり、映像再生装置１００は、複数の領域の一部の領域に対する処理結果情報に未処理と設定する。具体的には、ＣＰＵ１０３は、処理対象の映像データのヘッダ領域に当該処理結果情報を設定する。
【００４５】
次に、映像再生装置１００は、映像表示装置２００へ当該映像データに未処理と設定された処理結果情報を含めて送信する（Ｓ２０２）。つまり、映像再生装置１００は、当該映像データに対して高解像度処理部１０４による高解像度処理を行わずに送信する。
【００４６】
その後、映像表示装置２００は、受信した映像データについて表示を行う。ここで、図７に示すフローチャートを用いて、本発明の実施の形態１にかかる映像表示装置における映像データの表示処理の流れを説明する。
【００４７】
まず、映像表示装置２００は、映像再生装置１００から映像データを受信する（Ｓ５０１）。次に、映像表示装置２００は、映像データのヘッダを解析する（Ｓ５０２）。つまり、映像表示装置２００は、受信した映像データのヘッダ領域に設定された処理結果情報を抽出する。
【００４８】
そして、映像表示装置２００は、映像再生装置１００で高解像度処理済みか否かを判定する（Ｓ５０３）。ここでは、処理結果情報に未処理と設定されているため、映像表示装置２００は、当該映像データに高解像度処理が行われていないと判定する。そのため、映像表示装置２００は、映像データの高解像度処理を行う（Ｓ５０４）。つまり、高解像度処理部２０３は、受信した映像データに対して、映像表示装置２００側における高解像度処理を行う。
【００４９】
そして、映像表示装置２００は、高解像度処理済みの映像データを映像表示処理部２０２により映像表示パネル２０１へ出力する（Ｓ５０５）。つまり、映像表示パネル２０１に高解像度の映像が表示される。ここでは、映像表示装置２００により高解像度処理が行われた映像が表示される。そこで、ユーザは、この表示結果を視聴し、その効果を確認した後に、映像再生装置１００に確認終了のイベントを入力する。
【００５０】
図６に戻り、映像再生装置１００は、ユーザが確認済みであるか否かを判定する（Ｓ２０３）。すなわち、映像再生装置１００は、ユーザ操作受信部１０６により確認終了のイベントを受け付けたか否かを判定する。確認終了のイベントを受け付けていない場合、所定時間待機後、再度、ステップＳ２０３を行う。
【００５１】
ステップＳ２０３において、ユーザが確認済みであると判定した場合、映像再生装置１００は、処理対象の映像データの高解像度処理を行う（Ｓ２０４）。つまり、高解像度処理部１０４は、ステップＳ２０２において、高解像度処理が行われずに送信された映像データと同一の映像データに対して、映像再生装置１００側における高解像度処理を行う。そして、映像再生装置１００は、高解像度処理を処理済みとしてヘッダに設定する（Ｓ２０５）。つまり、映像再生装置１００は、複数の領域の一部の領域に対する処理結果情報に処理済みと設定する。
【００５２】
次に、映像再生装置１００は、映像表示装置２００へ当該映像データに処理済みと設定された処理結果情報を含めて送信する（Ｓ２０６）。つまり、映像再生装置１００は、高解像度処理部１０４による高解像度処理が行われた映像データを送信する。
【００５３】
その後、映像表示装置２００は、受信した映像データについて表示を行う。ここでは、処理結果情報に処理済みと設定されているため、図７のステップＳ５０３において、映像表示装置２００は、当該映像データに高解像度処理が行われていると判定する。そのため、映像表示装置２００は、映像表示装置２００側における高解像度処理を行わずに、図７のステップＳ５０５において、映像再生装置１００側における高解像度処理済みの映像データを映像表示処理部２０２により映像表示パネル２０１へ出力する。
【００５４】
その後、映像表示パネル２０１に高解像度の映像が表示される。つまり、このときは、映像再生装置１００により高解像度処理が行われた映像が表示される。そこで、ユーザは、この表示結果を視聴し、直前に表示された映像と現在の映像とのいずれが好みかを選択し、映像再生装置１００に選択結果を入力する。選択結果とは、例えば、映像が表示された順序や先又は後を示す情報であるか、映像再生装置１００又は映像表示装置２００のいずれかを指定する情報等であるとよい。
【００５５】
図６に戻り、映像再生装置１００は、ユーザから選択結果を受け付けたか否かを判定する（Ｓ２０７）。すなわち、映像再生装置１００は、ユーザ操作受信部１０６により選択結果を受け付けたか否かを判定する。選択結果を受け付けていない場合、所定時間待機後、再度、ステップＳ２０７を行う。
【００５６】
図５に戻り、映像再生装置１００は、ユーザの選択結果と映像タイプとを対応付けて高解像度処理制御ＤＢ１０７へ登録する（Ｓ１０６）。つまり、映像再生装置１００は、一部の領域について映像再生装置１００又は映像表示装置２００のいずれかを選択した情報を受け付け、当該一部の領域における映像タイプと対応付けて高解像度処理制御ＤＢ１０７に登録する。以後、映像再生装置１００は、映像メディア４００から全ての映像データを読み込み終えるまでの間、ステップＳ１０２乃至Ｓ１０６の処理を繰り返す。
【００５７】
図８は、本発明の実施の形態１にかかる映像再生装置における映像データの送信処理の流れを示すフローチャートである。尚、以下の説明において、図５、図６及び図７と同等の処理については詳細な説明を省略する。
【００５８】
まず、ユーザにより映像メディア４００が映像再生装置１００に挿入される（Ｓ３０１）。尚、映像メディア４００には、図５で登録処理に用いられたものと異なる映像データが収録されていても構わない。但し、映像メディア４００には、少なくとも複数の映像タイプについての複数の領域を含む低解像度の映像データが収録されているものとする。
【００５９】
次に、映像再生装置１００は、映像メディア４００から映像データを読み込む（Ｓ３０２）。例えば、映像再生装置１００は、映像メディア４００から１フレーム分の映像データを読み込む。そして、映像再生装置１００は、未処理の映像データが存在するか否かを判定する（Ｓ３０３）。例えば、映像再生装置１００は、読み込まれていないフレームが存在するか否かを判定する。
【００６０】
ステップＳ３０３において未処理の映像データが存在すると判定した場合、映像再生装置１００は、映像データの個別処理を行う（Ｓ３０４）。ここで、図９に示すフローチャートを用いて、本発明の実施の形態１にかかる映像再生装置における映像データの個別処理の流れを説明する。尚、映像再生装置１００は、ステップＳ３０２において読み込まれた映像データに含まれる領域ごとに図９の処理を行うものとする。
【００６１】
まず、映像再生装置１００は、映像データの特徴を解析し、映像タイプを判別する（Ｓ４０１）。そして、映像再生装置１００は、映像タイプに対応する高解像度処理を高解像度処理制御ＤＢ１０７より検索する（Ｓ４０２）。具体的には、高解像度処理判定部５０６は、画像特徴解析処理部５０５により判別された映像タイプをキーとして高解像度処理制御ＤＢ１０７を検索し、対応する制御情報１０８を取得する。図２の例では、映像タイプが夜景と判別された場合、高解像度処理制御がありという情報を取得する。
【００６２】
そして、映像再生装置１００は、映像再生装置１００で高解像度処理を行うか否かを判定する（Ｓ４０３）。具体的には、高解像度処理判定部５０６は、高解像度処理制御ＤＢ１０７から取得された制御情報１０８に基づいて判定する。例えば、高解像度処理制御がありという情報が取得された場合、映像再生装置１００は、高解像度処理部１０４による高解像度処理を行うと判定する。このとき、高解像度処理判定部５０６は、高解像度処理切替部５０１に対して、映像データを高解像度処理部１０４へ出力させるための制御信号を出力する。また、高解像度処理制御がなしという情報が取得された場合、映像再生装置１００は、高解像度処理部２０３による高解像度処理を行うと判定する。このとき、高解像度処理判定部５０６は、高解像度処理切替部５０１に対して、映像データを映像データ送信部１０５へ出力させるための制御信号を出力する。
【００６３】
ステップＳ４０３において、映像再生装置１００で高解像度処理を行うと判定した場合、映像再生装置１００は、処理対象の映像データの高解像度処理を行う（Ｓ４０４）。そして、映像再生装置１００は、高解像度処理を処理済みとしてヘッダに設定する（Ｓ４０５）。
【００６４】
また、ステップＳ４０３において、映像再生装置１００で高解像度処理を行わないと判定した場合、映像再生装置１００は、高解像度処理を未処理としてヘッダに設定する（Ｓ４０６）。すなわち、このとき、映像再生装置１００は、処理対象の映像データに対して高解像度処理部１０４により高解像度処理を行わない。
【００６５】
図８に戻り、映像再生装置１００は、上述した映像データの個別処理における処理結果を含めて映像表示装置２００へ映像データを送信する（Ｓ３０５）。尚、ステップＳ３０４の個別処理を領域ごとに行った場合には、映像再生装置１００は、各領域をまとめた図３に示した映像データの形式により送信する。これにより、複数の領域を含めて映像データを送信することができる。以後、映像再生装置１００は、映像メディア４００から全ての映像データを読み込み終えるまでの間、ステップＳ３０２乃至Ｓ３０５の処理を繰り返す。
【００６６】
その後、ステップＳ３０３において、未処理の映像データが存在しないと判定した場合、つまり、映像メディア４００に収録された全ての映像データを処理し終えた場合、映像再生装置１００は、当該送信処理を終了する。
【００６７】
その後、図７に示す映像表示装置２００における表示処理により高解像度の映像が表示される。ここでは、映像表示装置２００が受信した映像データに複数の領域が含まれている。特に、領域により高解像度処理が処理済み又は未処理が異なった状態である場合がある。そのため、映像表示装置２００は、図７のステップＳ５０３及びＳ５０４を領域ごとに処理することとなる。そして、映像表示処理部２０２は、高解像度処理部１０４により処理済みの領域と、高解像度処理部２０３により処理済みの領域とを含めて、映像表示パネル２０１へ出力する。これにより、異なる高解像度処理がなされた複数の領域を併せて表示することができる。つまり、本発明の実施の形態１により、映像データに含まれる各領域の高解像度処理の種類を柔軟に組み合わせて、所望の映像を表示することができる。
【００６８】
尚、本発明の実施の形態１では、映像再生装置１００と映像表示装置２００のそれぞれの高解像度処理の効果に対する好みを映像タイプごとにユーザからの選択結果を受け付け、選択結果を映像再生装置１００内の高解像度処理制御ＤＢ１０７に映像タイプごとに登録する。そして、他の映像データを再生する際に、映像再生装置１００は、当該映像データにおける映像タイプを分析し、該当する映像データの高解像度処理制御をデータベースの情報に従ってＯＮ／ＯＦＦの切り替えを行う。そして、映像再生装置１００側で高解像度処理をした場合、当該映像データの高解像度処理情報をヘッダに追加して、映像再生装置２００に送信する。また、映像表示装置２００は、映像再生装置１００から入力された映像データに高解像度処理されていない部分があれば、自身の高解像度処理を行う。そして、高解像度処理されている部分があれば、その部分は高解像度処理をしない。以上により、再生される映像データにおける映像再生装置１００と映像表示装置２００の高解像度処理の効果がユーザによって最適な組み合わせとなることになる。
【００６９】
尚、登録処理において、異なる画面であっても、同じ映像タイプに属する場合には、それらの選択結果については統計処理等により一つの制御情報１０８となるようにしてもよい。これにより、制御情報１０８について、ユーザによる好みを反映する精度を高めることができる。また、高解像度処理制御ＤＢ１０７では、映像タイプごとに制御情報１０８を対応付けているため、当該ユーザが初めて視聴する映像データについても、異なる画面又は領域に対して、高解像度処理制御ＤＢ１０７に格納された映像タイプが同一であれば、高解像度処理の適用に関して、同様の好みを反映することが可能となる。
【００７０】
＜発明の実施の形態２＞
本発明の実施の形態２は、上述した発明の実施の形態１の変形例である。本発明の実施の形態２は、映像データの画面全体を１つの映像タイプに分類するのではなく、画面を複数個に分割し、それぞれについて映像タイプを分類した場合の例である。本発明の実施の形態２にかかる映像再生装置は、入力された映像データについて、画面単位に画像の特徴を解析し、解析された特徴に基づいて複数の領域に分割する領域分割手段をさらに備える。そして、当該映像再生装置は、分割された複数の領域の画面上の配置情報をさらに含めて、前記映像データを前記映像表示装置へ送信する。また、本発明の実施の形態２にかかる映像表示装置は、配置情報に基づいて、分割された領域を合成して映像を表示する。尚、本発明の実施の形態２にかかるデータ処理システムは、図１と同等の構成であるため、図示及び詳細な説明を省略する。
【００７１】
図１０は、本発明の実施の形態２にかかる映像再生装置における映像データの送信処理の流れを示すフローチャートである。尚、以下の説明において、本発明の実施の形態１と同等の処理については詳細な説明を省略する。
【００７２】
まず、ユーザにより映像メディア４００が映像再生装置１００に挿入される（Ｓ６０１）。尚、映像メディア４００には、少なくとも１画面内に複数の映像タイプに判別される複数の領域を含む低解像度の映像データが収録されているものとする。
【００７３】
次に、映像再生装置１００は、映像メディア４００から映像データを読み込む（Ｓ６０２）。例えば、映像再生装置１００は、映像メディア４００から１フレーム分の映像データを読み込む。そして、映像再生装置１００は、未処理の映像データが存在するか否かを判定する（Ｓ６０３）。例えば、映像再生装置１００は、読み込まれていないフレームが存在するか否かを判定する。ステップＳ６０３において、未処理の映像データが存在しないと判定した場合、つまり、映像メディア４００に収録された全ての映像データを処理し終えた場合、映像再生装置１００は、当該送信処理を終了する。
【００７４】
ステップＳ６０３において未処理の映像データが存在すると判定した場合、映像再生装置１００は、映像データの特徴を解析する（Ｓ６０４）。そして、映像再生装置１００は、特徴に基づき画面を複数の領域に分割する（Ｓ６０５）。例えば、映画の映像において、字幕が本体映像部分の外にある映像であれば、映像再生装置１００は、明度の情報から２つの画面に分割する。このとき、映像再生装置１００は、各分割された領域ごとに、分割元の画面内における配置情報を別途、記憶しておくものとする。配置情報とは、例えば、画面上の座標、領域間の隣接関係等であるとよい。
【００７５】
その後、映像再生装置１００は、分割された領域ごとに、映像データの個別処理を行う（Ｓ６０６）。ここで、図１１に示すフローチャートを用いて、本発明の実施の形態２にかかる映像再生装置における映像データの個別処理の流れを説明する。
【００７６】
まず、映像再生装置１００は、解析された特徴から、分割領域の映像タイプを判別する（Ｓ７０１）。以降、当該分割領域について、図９のステップＳ４０２乃至Ｓ４０６と同様に、ステップＳ７０２乃至Ｓ７０６を行う。
【００７７】
図１０に戻り、映像再生装置１００は、処理対象の画面に他の分割領域が存在するか否かを判定する（Ｓ６０７）。他の分割領域が存在すると判定した場合、再度、ステップＳ６０６を実行する。ステップＳ６０７において、他の分割領域が存在しないと判定した場合、映像再生装置１００は、処理対象の画面における複数の分割領域についての映像データを送信する（Ｓ６０８）。このとき、映像再生装置１００は、映像データに上述した配置情報を含めて映像表示装置２００に送信する。以後、映像再生装置１００は、映像メディア４００から全ての映像データを読み込み終えるまでの間、ステップＳ６０２乃至Ｓ６０８の処理を繰り返す。
【００７８】
図１２は、本発明の実施の形態２にかかる映像表示装置における映像データの表示処理の流れを示すフローチャートである。尚、以下の説明において、本発明の実施の形態１と同等の処理については詳細な説明を省略する。
【００７９】
まず、映像表示装置２００は、映像再生装置１００から映像データを受信する（Ｓ８０１）。次に、映像表示装置２００は、映像データのヘッダを解析する（Ｓ８０２）。
【００８０】
そして、映像表示装置２００は、分割領域が映像再生装置で高解像度処理済みか否かを判定する（Ｓ８０３）。高解像度処理済みでない判定した場合、映像表示装置２００は、分割領域の高解像度処理を行う（Ｓ８０４）。ステップＳ８０３において、高解像度処理済みと判定した場合、当該分割領域の高解像度処理を行わない。
【００８１】
その後、映像表示装置２００は、他の分割領域が存在するか否かを判定する（Ｓ８０５）。他の分割領域が存在すると判定した場合、映像表示装置２００は、ステップＳ８０３及びＳ８０４を行う。
【００８２】
ステップＳ８０５において、他の分割領域が存在しないと判定した場合、映像表示装置２００は、分割領域を合成する（Ｓ８０６）。このとき、映像表示装置２００は、各分割領域について、配置情報に基づき１画面となるように合成する。
【００８３】
その後、映像表示装置２００は、合成語の映像データを映像表示処理部２０２により映像表示パネル２０１へ出力する（Ｓ８０７）。
【００８４】
図１３は、本発明の実施の形態２にかかる１画面が２領域に分割された場合の概念を説明する図である。画面データ７１０は、映像再生装置１００における高解像度処理済み後、映像表示装置２００への送信前の映像データの概念を示す。
【００８５】
画面データ７１０は、高解像度処理部１０４により処理された高解像度処理済み領域７１１と、高解像度処理部１０４により処理されていない未処理領域７１２とに分割されたことを示す。そのため、映像表示装置２００へ送信されるデータのヘッダ領域には、高解像度処理済み領域７１１については処理済み、未処理領域７１２については未処理が設定されていることとなる。また、映像表示装置２００へ送信されるデータのヘッダ領域には、併せて、高解像度処理済み領域７１１及び未処理領域７１２の配置情報が含まれる。
【００８６】
そして、未処理領域７１２のみが高解像度処理部２０３により処理されることにより、高解像度処理済み領域７２２となり、配置情報に基づき合成される。つまり、画面データ７２０は、高解像度処理部１０４により処理された高解像度処理済み領域７２１と、高解像度処理部２０３により処理された高解像度処理済み領域７２２とが合成されたことを示す。
【００８７】
このように、本発明の実施の形態２では、映像データを画像の特徴から複数の領域に分割し、各分割領域を映像タイプに分類して、それらに最適な高解像度処理を行うことで、画面単位に最適な高解像度処理結果を得ることができる。そのため、映像再生装置１００側と映像表示装置２００側とで個別に実装されている高解像度処理について、それぞれの良い部分を適宜利用することで、ユーザにとって最適な高解像度処理された映像が得られる。
【００８８】
＜その他の発明の実施の形態＞
さらに、本発明は上述した実施の形態のみに限定されるものではなく、既に述べた本発明の要旨を逸脱しない範囲において種々の変更が可能であることは勿論である。
【符号の説明】
【００８９】
１０  データ処理システム
１００  映像再生装置
１０１  映像データ読み取り部
１０２  映像データ復号化処理部
１０３  ＣＰＵ
１０４  高解像度処理部
１０５  映像データ送信部
１０６  ユーザ操作受信部
１０７  高解像度処理制御ＤＢ
１０８  制御情報
２００  映像表示装置
２０１  映像表示パネル
２０２  映像表示処理部
２０３  高解像度処理部
２０４  ＣＰＵ
２０５  映像データ受信部
２０６  ユーザ操作受信部
３００  映像データ送信ケーブル
４００  映像メディア
５０１  高解像度処理切替部
５０２  エッジ検出処理部
５０３  明度解析処理部
５０４  テクスチャ解析処理部
５０５  画像特徴解析処理部
５０６  高解像度処理判定部
５０７  高解像度処理選択部
６１０  映像データヘッダ
６１１  高解像度処理情報
６１２  高解像度処理情報
６１ｎ  高解像度処理情報
６２０  映像データ本体
６２１  映像データ
６２２  映像データ
６２ｎ  映像データ
７１０  画面データ
７１１  高解像度処理済み領域
７１２  未処理領域
７２０  画面データ
７２１  高解像度処理済み領域
７２２  高解像度処理済み領域
【図１】
2011254133.tif 000003
【図２】
2011254133.tif 000004
【図３】
2011254133.tif 000005
【図４】
2011254133.tif 000006
【図５】
2011254133.tif 000007
【図６】
2011254133.tif 000008
【図７】
2011254133.tif 000009
【図８】
2011254133.tif 000010
【図９】
2011254133.tif 000011
【図１０】
2011254133.tif 000012
【図１１】
2011254133.tif 000013
【図１２】
2011254133.tif 000014
【図１３】
2011254133.tif 000015